(57)【要約】【課題】  仮設足場に容易に取り付けができ、取り扱いに優れる仮設足場用落下防止具の提供を目的とする。  【解決手段】  仮設足場１００に取り付けて用いられる仮設足場用落下防止具１０であって、仮設足場１００の足場板１００ｚの端縁部上面と足場板１００ｚの側方空間を覆う水平板部１２ａおよび水平板部１２ａから上方に起立する起立板部１２ｂとを有する幅木板１２と、幅木板１２の起立板部１２ｂに長手方向に所要間隔をおいて配設され、幅木板１２を直接または連結部材１４を介して仮設足場１００に取り付ける係止部１２ｃとを具備していることを特徴とする仮設足場用落下防止具１０である。【選択図】        図２
2005325597.tif 000002
【特許請求の範囲】
【請求項１】
仮設足場に取り付けて用いられる仮設足場用落下防止具であって、
仮設足場の足場板の端縁部上面と該足場板の側方空間を覆う水平板部および該水平板部から上方に起立する起立板部とを有する幅木板と、
該幅木板の前記起立板部に、長手方向に所要間隔をおいて設けられ、幅木板を直接または連結部材を介して前記仮設足場の骨組部材にとりつける係止部とを具備することを特徴とする仮設足場用落下防止具。
【請求項２】
前記係止部が係止孔であることを特徴とする請求項１記載の仮設足場用落下防止具。
【請求項３】
前記連結手段が前記仮設足場に取り付けられたクランプであることを特徴とする請求項１または２に記載の仮設足場用落下防止具。
【請求項４】
前記水平板部の端縁部に、前記足場板の上面に向けて屈曲し、前記足場板の上面に当接し、前記水平板部と前記足場板上面との間に所要の空間を形成することを特徴とする請求項１〜３のうちのいずれか一項記載の仮設足場用落下防止具。                                                            
【発明の詳細な説明】
【技術分野】
【０００１】
本発明は、仮設足場用落下防止具に関し、より詳細には、設置が簡単な仮設足場用落下防止具に関する。
【背景技術】
【０００２】
近年、仮設足場における落下物防止装置として各種の構造や方法が多数提供されている。具体的には、特許文献１に記載されているような足場の落下防止構造が一例として提案されている。
特許文献１に開示されている足場の落下防止構造は、可撓性を有する縦シート材と横シート材を結合して落下防止シートを形成し、一方、複数の張出しブラケットを足場本体に適宜間隔を設けて取付け、足場本体の支柱間および張出しブラケット間に水平支持バーを架設し、これらの水平支持バーに落下防止シートの上下両端部および結合部を取付け、落下防止シートを足場本体および張出しブラケットにＬ字状に張設したものである。これにより、水平支持バーを軽量な材料とすれば、軽量な足場の落下防止構造とすることが可能になり、広く用いられている。
【特許文献１】特開平５−３９６７２号公報
【発明の開示】
【発明が解決しようとする課題】
【０００３】
ところが、引用文献１に示されている足場の落下防止構造においては、落下防止シートを設置する際、水平支持バーを所要間隔で配設しなければならず、設置において手間がかかるといった課題がある。
また、落下防止用シートを適切な張力で張設しなければ、突風が吹いた場合において、落下防止用シートが煽られてしまうため、落下防止用シートで受け止めた落下物が弾き飛ばされてしまうおそれがあるといった課題もある。
【０００４】
そこで、本発明は、仮設足場に容易に取り付けができ、取り扱いに優れる仮設足場用落下防止具の提供を目的としている。
【課題を解決するための手段】
【０００５】
本発明は、仮設足場に取り付けて用いられる仮設足場用落下防止具であって、仮設足場の足場板の端縁部上面と該足場板の側方空間を覆う水平板部および該水平板部から上方に起立する起立板部とを有する幅木板と、該幅木板の前記起立板部に、長手方向に所要間隔をおいて設けられ、幅木板を直接または連結部材を介して前記仮設足場の骨組部材に取り付ける係止部とを具備することを特徴とする仮設足場用落下防止具である。
【０００６】
また、前記係止部が係止孔であることを特徴とする。
また、前記連結手段が前記仮設足場に取り付けられたクランプであることを特徴とする。
これらにより、仮設足場用落下防止具の取り付けが容易に行えると共に、突風が吹いた場合においても仮設足場用落下防止具の設置位置がずれてしまうおそれをなくすことができる。
【０００７】
また、前記水平板部の端縁部に、前記足場板の上面に向けて屈曲し、前記足場板の上面に当接し、前記水平板部と前記足場板上面との間に所要の空間を形成することを特徴とする。
これにより、通路部を構成する足場板の係止フックとの干渉を防ぐことができ、足場への配設がより簡便になる。さらには、係止フックが延長板のストッパとしても機能するため、万が一通路部の足場板がずれてしまった場合でも、足場板と延長板との間に隙間を生じることがないため安全性を大幅に向上させることができる。
【発明の効果】
【０００８】
本発明による仮設足場用落下防止具によれば、仮設足場に容易に取り付けができると共に、複数種類の仮設足場に対応することが可能になる。また、調整用の仮設足場を用いた場合であっても、幅木板の係止部を仮設足場の骨組み部材の位置に一致させることができ、確実に幅木板を取り付けることができる。したがって、取り扱い性に優れ、安価な落下防止具を提供することが可能になる。
また、仮設足場用落下防止具が板材により形成されているので、運搬や保管を効率的に行うことができる。
【発明を実施するための最良の形態】
【０００９】
以下、添付図面に基づいて本発明の最良の実施の形態を詳細に説明する。図１は、本実施の形態における仮設足場用落下防止具を取り付けた仮設足場の側面図である。図２は、仮設足場用落下防止具の取り付け部分の拡大図である。図３は、連結手段であるクランプの平面図である。図４は、図３のクランプにおける右側面図である。図５は、クランプの係止具の詳細説明図である。
【００１０】
本実施の形態に係る仮設足場用落下防止具１０は、図１に示すように、建造物Ｋの表面に沿って複数段に組み立てられた仮設足場１００に配設される。仮設足場用落下防止具１０は、仮設足場１００のうち第２段目以上において、足場板１００ｚにより構成された通路部における側方空間を閉塞させるようして配設される。
仮設足場用落下防止具１０は、図２に示すように、幅木板１２と、幅木板１２と仮設足場１００の骨組部材の一部である建枠１００ｘとを連結させる連結手段１４とにより構成されている。幅木板１２は、亜鉛めっきした薄鋼板により形成されている。
【００１１】
幅木板１２は、図２に示すように、鋭角な屈曲部を有した断面略Ｌ字型に形成されている。すなわち、幅木板１２は、仮設足場１００に後述するようにして取り付けた際、足場板１００ｚの端縁部上面に重なり合うようにして足場板１００ｚの上面を覆うと共に、足場板１００ｚ端縁部からさらに外側の空間（足場板１００ｚの幅方向における側方空間を指す）を覆う水平板部１２ａと、水平板部１２ａの端縁から上方に起立する起立板部１２ｂとにより構成されている。この起立板部１２ｂには、所要間隔をあけて仮設足場１００の骨組材である建枠１００ｘに取り付けするための係止部である係止孔１２ｃが設けられている。
【００１２】
また、幅木板１２の足場板１００ｚ上に重なりあう側の水平板部１２ａの端縁部は、足場板１００ｚ側に向かって所要幅で屈曲する屈曲部１２ｄが形成されている。図２に示すように、略Ｌ字型に形成された部分の屈曲角度Ｘは約８５度に形成されている。
幅木板１２は、足場板１００ｚの幅方向における側方空間を確実に覆う幅、長さに形成されている。また、幅木板１２は、幅木板１２どうしを積み重ねた状態で保管および運搬をすることができるようになっている。
【００１３】
また、幅木板１２の起立板部１２ｂの端縁は、全長にわたって端部が所要幅で折り曲げられており、持ち運びの際に怪我をしないようになっている。
屈曲部１２ｄの屈曲幅Ｗの幅は約２０ｍｍとなっている。さらにまた、長手方向の長さは、仮設足場１００における１スパンの長さと略等しく形成されていて、約１８８０ｍｍに形成されている。
【００１４】
連結手段１４には、クランプが用いられている。クランプ１４は単管パイプと仮設足場１００の建枠１００ｘの両方に連結可能な兼用クランプを用いており、兼用クランプの側面部分に係止具１６が溶接加工やプレス加工により取り付けられている。クランプ１４は、公知のものを用いていることができるが、本実施の形態においては、図３に示すように、軸１４ａにより回動自在に連結されたクランプ片１４ｂ、１４ｃにより、建枠１００ｘを挟み込み、ボルト１４ｄおよびナット１４ｅにより、それぞれのクランプ片１４ｂ、１４ｃを締結する形態のものを用いている。
【００１５】
係止具１６は、図４に示すように、クランプ片１４ｃの側面に取り付けられた軸棒１６ａと軸棒の表面から突出する外れ止めのストッパ１６ｂが設けられている。ストッパ１６ｂは、軸棒１６ａの外周面に形成されたスリットＳから軸棒１６ａの内部に進入可能に設けられ、バネＢ等の付勢手段により軸棒１６ａの外側に突出する方向に付勢されている。したがって、幅木板１２をクランプ１４に係止する際は、単純に係止具１６の先端部を起立板部１２ｂの係止孔１２ｃに挿入するだけでよい。
【００１６】
本実施の形態における仮設足場用落下防止具１０は、以上に説明した構成を有している。以下に、仮設足場用落下防止具１０の仮設足場への取り付けについて説明する。図６は、本実施の形態における仮設足場用落下防止具の取り付け状態を示した斜視図である。
本実施の形態における仮設足場用落下防止具１０は、仮設足場１００の建枠１００ｘの所要高さ位置にそれぞれのクランプ片１４ｂ、１４ｃを巻き付け、ボルト１４ｄおよびナット１４ｅによりクランプ片１４ｂ、１４ｃを締め付けて固定した後、係止具１６に起立板部１２ｂの係止孔１２ｃを係合させることにより取り付けられる。
【００１７】
一方、幅木板１２を係止具１６から外す際には、指で係止具１６のストッパ１６ｂを軸棒の内部へ押し込みながら幅木板１２を引き抜けばよい。このように、クランプ１４の係止具１６にストッパ１６ｂが配設されているので、仮設足場１００を用いた作業中において、不用意に幅木板１２がクランプ１４から外れてしまうおそれがないため好都合である。
【００１８】
仮設足場用落下防止具１０は、以上の手順により仮設足場１００に取り付けられる。仮設足場用落下防止具１０は、幅木板１２が図２に示すように断面形状が略Ｌ字状となって足場板１００ｚの幅方向における側方空間を覆うと共に、立ち上がり壁を形成することになる。これにより、足場板１００ｚのみを配設しただけの通路部の幅に比べ、幅の広い通路部とすることができるため仮設足場１００における作業の安全性も大幅に向上する。
【００１９】
また、幅木板１２には屈曲部１２ｄが形成されているので、水平板部１２ａと足場板１００ｚ上面との間に所要の空間が形成され、落下物を確実に受け止めることができると共に、足場板１００ｚと仮設足場１００を構成する建枠１００ｘとを連結する係止フックＦとの干渉がなく、仮設足場用落下防止具１０を長手方向に連続的に配設しても、幅木板１２の高さ位置がずれてしまうことなく、略同一平面とすることができる。
さらには、幅木板１２に形成され、足場板１００ｚに当接する屈曲部１２ｄが、仮説足場用落下防止具１０に作用する荷重の大部分を負担するため、クランプ１４との連結部分には過度の荷重が作用しにくくなり、破損のおそれが減少し好都合である。
【００２０】
以上に本実施の形態の仮設足場用落下防止具１０について詳細に説明してきたが、本発明に係る仮設足場用落下防止具１０は以上の実施の形態に限定されるものではない。例えば、本実施の形態においては、幅木板１２は亜鉛めっきを施した鋼板により形成されているが、幅木板１２は、強度部材ではないため、アルミ材や強化プラスチック等の合成樹脂により形成することができるのはもちろんである。これにより、仮設足場用落下防止具１０の重量をさらに軽減させることができるため、不安定な仮設足場における組み立て作業をさらに容易に行うことができる。また、地上から仮設足場までの運搬回数も大幅に少なくなり、架設工事におけるコストを削減させることもできる。
また、本実施の形態においては、鋭角的に屈曲されてなる略Ｌ字状に形成された幅木板１２が用いられているが、曲線状に屈曲させた幅木板１２を用いることができるのももちろん可能である。
【００２１】
さらにまた、幅木板１２を大幅に軽量化することができれば、クランプ１４を用いることなく、幅木板１２の幅方向に係止孔１２ｂを配設することにより、幅木板１２を仮設足場１００の取付部（ブレス止めＺ）に直接取り付けすることももちろん可能である。
また、幅木板１２を水平板部１２ａと起立板部１２ｂとを蝶番等の連結具により回動自在に連結し（図示せず）、折り畳み可能な形態とすることももちろん可能である。
【図面の簡単な説明】
【００２２】
【図１】本実施の形態における仮設足場用落下防止具を取り付けた仮設足場の側面図である。
【図２】仮設足場用落下防止具の取付部分の拡大図である。
【図３】連結手段であるクランプの平面図である。
【図４】図３のクランプにおける右側面図である。
【図５】クランプの係止具の詳細説明図である。
【図６】本実施の形態における仮設足場用落下防止具の取り付け状態を示した斜視図である。
【符号の説明】
【００２３】
１０  仮設足場用落下防止具
１２  幅木板
１２ａ  水平板部
１２ｂ  起立板部
１２ｃ  係止孔
１２ｄ  屈曲部
１４  連結手段（クランプ）
１６  係止具
１６ａ  軸棒
１６ｂ  ストッパ
１００  仮設足場
１００ｘ  建枠
１００ｚ  足場板
Ｂ  バネ
Ｆ  係止フック
Ｋ  建造物
Ｓ  スリット
Ｚ  ブレス止め                 
【図１】
2005325597.tif 000003
【図２】
2005325597.tif 000004
【図３】
2005325597.tif 000005
【図４】
2005325597.tif 000006
【図５】
2005325597.tif 000007
【図６】
2005325597.tif 000008